(57)【特許請求の範囲】
【請求項１】
両側辺に沿って起立するサイドフレーム間にメモリーカードを収容するカード収容部が形成され、サイドフレームのカード収容部を介して対向する部位に水平方向を長手方向とする長円形状の軸受孔が形成されたケース本体と、
前記軸受孔に枢軸が挿通し、枢軸が軸受孔の水平方向一側に位置するオープンポジションと他側に位置するロックポジションとの間で、カード収容凹部を跨ぎサイドフレームに沿ってスライド自在のカバーとを備え、
カバーは、オープンポジションでケース本体に対して枢軸回りに回動自在に支持され、ロックポジションで、サイドフレームに形成された上部ロック部の下面に、カバーの下部ロック部の上面が当接し、ケース本体に対する回動が規制されるメモリーカード用コネクタであって、
サイドフレームの軸受孔は、枢軸が水平方向の一側と他側のいずれでも回動自在となる輪郭に形成され、
上部ロック部は、オープンポジションで回動するカバーの下部ロック部と干渉せず、オープンポジションからロックポジションまでカード収容凹部を跨いでスライドするカバーの下部ロック部の移動軌跡に沿ってサイドフレームに形成され、
正常操作で、オープンポジションからロックポジションへ水平な姿勢でスライド操作したカバーの下部ロック部の上面を、上部ロック部の下面に当接させるとともに、
ロックポジションで下部ロック部が当接する部位の上部ロック部の上面が、上方から当接する下部ロック部の上面を上部ロック部の下面へ案内する傾斜面となり、
誤操作で、オープンポジションからロックポジションへカバーを開いたままスライド操作したカバーを強制的に閉じ方向に回転操作し、カバーの下部ロック部の上面を、上部ロック部の下面に当接させることを特徴とするメモリーカード用コネクタ。
【請求項２】
上部ロック部が形成される部位のサイドフレームは、水平方向を長手方向として起立する帯状金属板の上部を下向きＵ字状に折り返して形成され、下向きＵ字状の先端面が上部ロック部の下面と、Ｕ字状に折り返された外側面が上部ロック部の上面となっていることを特徴とする請求項１に記載のメモリーカード用コネクタ。
【請求項３】
軸受孔が形成される部位のサイドフレームは、水平方向を長手方向として起立する帯状金属板の上部を下向きＵ字状に折り返して形成され、Ｕ字状に折り返された外側面が上方から当接する枢軸を軸受孔へ案内する傾斜面となっていることを特徴とする請求項１又は請求項２に記載のメモリーカード用コネクタ。
【請求項４】
起立する帯状金属板の長手方向の一端に起立支持片が一体に連設され、起立支持片は、軸受孔に枢軸が挿入された該帯状金属板に対して枢軸の挿入方向に直角に折り曲げられることを特徴とする請求項３に記載のメモリーカード用コネクタ。
【請求項５】
起立支持片がケース本体を配置するプリント配線基板の接地パターンに半田付けされることを特徴とする請求項４に記載のメモリーカード用コネクタ。
【発明の詳細な説明】
【技術分野】
【０００１】
本発明は、カード収容部内に収容したメモリーカードを電子機器へ接続するメモリーカード用コネクタに関し、更に詳しくは、ケース本体とケース本体に回動自在に支持されるカバーとの間でメモリーカードをカード収容部内に位置決めするメモリーカード用コネクタに関する。
【背景技術】
【０００２】
従来、ケース本体に対して回動自在のカバーを開き、メモリーカードをケース本体のカード収容部に収容した後、カード収容部に収容されたメモリーカードの上面を覆うようにカバーを閉じ、閉じた状態でカバーの回動をロックするメモリーカード用コネクタが知られている。カード収容部に収容されたメモリーカードは、メモリーカード底面の導電パッドにケース本体からカード収容部に臨ませたコンタクトが電気接続し、その状態でロックされたカバーとケース本体の間で位置決めされるので、電気接続している間に不用意にメモリーカードが振動したり、カード収容部から抜け出ることがない。
【０００３】
このような構成のメモリーカード用コネクタでは、メモリーカードを挿入する為にケース本体に対してカバーが回動自在となるオープンポジションから、メモリーカードの上面を覆うように閉じたカバーをケース本体に対してロックポジションまでスライドさせて、ロックポジションで閉じたカバーの回動をロックしている（特許文献１）。
【０００４】
図１２乃至図１４は、このカバーがスライドする構造のメモリーカード用コネクタ１００を示し、両側辺に沿ってサイドフレーム１０１が立設されることにより、その間に多数のコンタクト１０２を臨ませたカード収容部１０３ａが形成される絶縁樹脂からなるケース本体１０３と、サイドフレーム１０１の前方（図１４において右方）に穿設された軸受孔１０４に挿入される枢軸１０５が突設され、枢軸１０５回りに回動するヒンジカバー１０６とからなっている。
【０００５】
軸受孔１０４は、前方が前後方向を長手方向とする長溝１０４ｂでその後方側が円形１０４ａの鍵穴状の輪郭に形成され、一方、軸受孔１０４に挿入される枢軸１０５は、図１４に示すように、断面の輪郭が長溝１０４ｂに遊嵌する長円形状でその長手方向幅が円形１０４ａの直径よりわずかに短い長さとなっている。従って、ヒンジカバー１０６は、枢軸１０５が軸受孔１０４の後方位置にあるオープンポジション（図１３）で、ケース本体１０３に対して回動自在であり、ケース本体１０３の上面を覆うヒンジカバー１０６を閉じた姿勢で枢軸１０５が長溝１０４ａ内を移動可能となり、枢軸１０５が軸受孔１０４の前方位置にあるロックポジション（図１４）までスライド自在となる。
【０００６】
ケース本体１０３のサイドフレーム１０１には、ケース本体１０３と一体に成形された上部ロック金具１０７が、サイドフレーム１０１の外側面から突出している。ヒンジカバー１０６の両側面は、このサイドフレーム１０１の外側面に沿ってスライドするもので、前方に向けてＬ字状に形成された下部ロック片１０８が形成されている。下部ロック片１０８は、図１３に示すようにヒンジカバー１０６が回動自在のオープンポジションで、上部ロック金具１０７の後方に位置し、前方にスライドするロックポジションで上部ロック金具１０７の下方に係合する位置に形成される。
【０００７】
このメモリーカード用コネクタ１００にメモリーカード１１０を装着する場合には、図１２に示すように、オープンポジションで開いたヒンジカバー１０６の後方枠部１０６ａへメモリーカード１１０を挿入して仮保持し、図１３に示すように、ヒンジカバー１０６を水平となるまで回転し、ケース本体１０２の上面を覆うように閉じる。
【０００８】
この状態でヒンジカバー１０６の枢軸１０５は、長溝１０４ｂの向きに一致して前後方向に移動可能となるので、ヒンジカバー１０６を前方へスライドし、枢軸１０５が軸受孔１０４の前端位置となる図１４に示すロックポジションまで移動させる。ヒンジカバー１０６を前方へスライドさせると、下部ロック片１０８は上部ロック金具１０７の下方へ移動し、ロックポジションで両者が係合してヒンジカバー１０６の回転が規制される。ロックポジションでは、ヒンジカバー１０６とケース本体１０３とで挟まれ、カード収容部１０３ａ内に位置決め支持されるメモリーカード１１０の各導電パッドに対応するコンタクト１０２が弾性接触して電気接続する。
【０００９】
メモリーカード１１０を抜き出す場合には、上述の逆順に、ヒンジカバー１０６を後方へスライドさせてオープンポジションとし、ヒンジカバー１０６を開いて抜き取る。
【先行技術文献】
【特許文献】
【００１０】
【特許文献１】特開２００８−２８７９１９号公報
【発明の概要】
【発明が解決しようとする課題】
【００１１】
上記メモリーカード用コネクタ１００では、下部ロック片１０８を水平方向にスライドさせて上部ロック金具１０７の下面に係合させるために、軸受孔１０４を後方が円形１０４ａで前方が長溝１０４ｂの鍵穴状の輪郭として、ヒンジカバー１０６が閉じられた状態でスライド可能としているが、長溝１０４ｂと扁平な姿勢とした枢軸１０５との間に遊びがあるので、ヒンジカバー１０６が水平よりわずかに傾いた姿勢であってもオープンポジションからロックポジションへスライドさせることが可能となる。
【００１２】
このような誤操作でヒンジカバー１０６がロックポジションへ移動した場合には、下部ロック片１０８が上部ロック金具１０７の上方にあり両者は係合していないので、ヒンジカバー１０６を上方へ強制的に開こうとすると、枢軸１０５若しくは長溝１０４ｂが破損することとなった。また、ヒンジカバー１０６を強制的に閉じてロックさせようとすると、下部ロック片１０８が上方から上部ロック金具１０７に当接して、下部ロック片１０８若しくは上部ロック金具１０７のいずれかが破損する恐れがある。
【００１３】
そこで、上部ロック金具１０７を絶縁性合成樹脂製のケース本体１０３と別に、破損しにくい金属板を加工して形成しているが、サイドフレーム１０１の側面に上部ロック金具１０７が突出するので、操作者の指などが触れて怪我の原因となっていた。
【００１４】
また、枢軸１０５は、所定の強度を得るために縦断面の短手方向長さを一定以上の長さとする必要があり、断面の輪郭を長円形状とすることから長手方向長さも短手方向長さに応じて長くする必要がある。その結果、軸受孔１０４の円形１０４ａの内径は、円形断面の枢軸に対して拡大し、メモリーカード用コネクタ１００の高さを低背化させる障害となっている。
【００１５】
本発明は、このような従来の問題点を考慮してなされたものであり、誤操作しても、枢軸や軸受孔の回動支持部やカバーの回動を規制するロック部が破損することがないメモリーカード用コネクタを提供することを目的とする。
【００１６】
また、軸受孔の縦方向幅を縮小し、低背化が可能なメモリーカード用コネクタを提供することを目的とする。
【課題を解決するための手段】
【００１７】
上述の目的を達成するため、請求項１に記載の発明は、両側辺に沿って起立するサイドフレーム間にメモリーカードを収容するカード収容部が形成され、サイドフレームのカード収容部を介して対向する部位に水平方向を長手方向とする長円形状の軸受孔が形成されたケース本体と、前記軸受孔に枢軸が挿通し、枢軸が軸受孔の水平方向一側に位置するオープンポジションと他側に位置するロックポジションとの間で、カード収容凹部を跨ぎサイドフレームに沿ってスライド自在のカバーとを備え、カバーは、オープンポジションでケース本体に対して枢軸回りに回動自在に支持され、ロックポジションで、サイドフレームに形成された上部ロック部の下面に、カバーの下部ロック部の上面が当接し、ケース本体に対する回動が規制されるメモリーカード用コネクタであって、サイドフレームの軸受孔は、枢軸が水平方向の一側と他側のいずれでも回動自在となる輪郭に形成され、上部ロック部は、オープンポジションで回動するカバーの下部ロック部と干渉せず、オープンポジションからロックポジションまでカード収容凹部を跨いでスライドするカバーの下部ロック部の移動軌跡に沿ってサイドフレームに形成され、正常操作で、オープンポジションからロックポジションへ水平な姿勢でスライド操作したカバーの下部ロック部の上面を、上部ロック部の下面に当接させるとともに、ロックポジションで下部ロック部が当接する部位の上部ロック部の上面が、上方から当接する下部ロック部の上面を上部ロック部の下面へ案内する傾斜面となり、誤操作で、オープンポジションからロックポジションへカバーを開いたままスライド操作したカバーを強制的に閉じ方向に回転操作し、カバーの下部ロック部の上面を、上部ロック部の下面に当接させるメモリーカード用コネクタを最も主要な特徴とする。
【００１８】
軸受孔は、枢軸が水平方向の一側と他側のいずれでも回動自在となる輪郭に形成されるので、ロックポジションでもカバーはケース本体に対して枢軸回りに回動自在であり、誤操作で下部ロック部が上部ロック部の上方に位置するロックポジションまでスライドさせたカバーを開き方向に回転操作させても、枢軸と軸受孔に負荷がかからない。
【００１９】
また、誤操作で下部ロック部が上部ロック部の上方に位置するロックポジションまでスライドさせたカバーを強制的に閉じ方向に回転操作させると、カバーの下部ロック部は、上部ロック部の上面の傾斜面に当接して、正常操作と同様のロック位置まで案内され、下部ロック部と上部ロック部のいずれにも大きな負荷が加わらない。
【００２０】
オープンポジションでカード収容凹部を跨ぐように水平方向に閉じたカバーは、スライドさせることにより、水平方向に移動する下部ロック部の移動軌跡に沿って形成された上部ロック部に案内されてロックポジションまで移動し、下部ロック部の上面が上部ロック部の下面に当接する位置まで確実に案内される。
【００２１】
また、請求項２に記載の発明は、上部ロック部が形成される部位のサイドフレームが、水平方向を長手方向として起立する帯状金属板の上部を下向きＵ字状に折り返して形成され、下向きＵ字状の先端面が上部ロック部の下面と、Ｕ字状に折り返された外側面が上部ロック部の上面となっていることを特徴とする。
【００２２】
上部ロック部が金属板を折り曲げて形成されるので、充分な強度が得られ、上端は下向きＵ字状の湾曲面となるので、金属板の切断面がサイドフレームの上面に表れない。
【００２３】
また、請求項３に記載の発明は、軸受孔が形成される部位のサイドフレームが、水平方向を長手方向として起立する帯状金属板の上部を下向きＵ字状に折り返して形成され、Ｕ字状に折り返された外側面が上方から当接する枢軸を軸受孔へ案内する傾斜面となっていることを特徴とする。
【００２４】
軸受孔が形成される部位のサイドフレームが、帯状金属板の上部を下向きＵ字状に折り返して形成されるので、金属板の切断面がサイドフレームの上面に表れない。
【００２５】
軸受孔が形成される部位のサイドフレームは、起立する導電性金属板の上部を下向きＵ字状に折り返して形成されるので、上方から枢軸を押し下げると、下向きＵ字状の外側面に当接して起立する導電性金属板が撓み、枢軸が軸受孔に案内される。
【００２６】
また、請求項４に記載の発明は、起立する帯状金属板の長手方向の一端に起立支持片が一体に連設され、起立支持片は、軸受孔に枢軸が挿入された該帯状金属板に対して枢軸の挿入方向に直角に折り曲げられることを特徴とする。
【００２７】
起立支持片は、枢軸の挿入方向に起立する帯状金属板に対して直角に折り曲げられるので、枢軸が軸受孔に挿入された帯状金属板は起立支持片に支持され、枢軸の挿入方向に傾斜しない。
【００２８】
また、請求項５に記載の発明は、起立支持片がケース本体を配置するプリント配線基板の接地パターンに半田付けされることを特徴とする。
【００２９】
起立支持片がケース本体を配置するプリント配線基板に半田付けによって固定されることにより、軸受孔が形成された帯状金属板は、より強固に起立支持される。
【００３０】
起立支持片が接地パターンに半田付けされることにより、起立支持片に一体の帯状金属板からなるサイドフレームは、接地電位となる。
【発明の効果】
【００３１】
請求項１の発明によれば、カバーがロックポジションにあっても、ケース本体に対して回動自在であるので、誤操作で下部ロック部が上部ロック部の上方に位置するアンロック状態のカバーを開き方向に回転させても、枢軸や軸受孔が破損しない。
【００３２】
一方、アンロック状態のままロックポジションにスライドしたカバーは、強制的に閉じ方向に回転させることにより、ロック部を破損させることなく、正常操作と同様にカバーの回動をロックさせることができる。従って、サイドフレームから突出する上部ロック部を比較的強度が求められない絶縁樹脂で形成でき、怪我の危険がない。
【００３３】
また、枢軸を長円形状断面とした長手方向幅より短い直径の円形断面とすることができるので、軸受孔の縦方向幅を縮小させて、ケース本体を低背化できる。
【００３４】
請求項２の発明によれば、上部ロック部が形成されるサイドフレームが、金属板の上部を下向きＵ字状に折り返して形成されるので、金属板のエッジが露出せず、所定の強度を保ちながら、指が触れても怪我する恐れがない。
【００３５】
水平方向を長手方向として起立する帯状金属板の上部を下向きＵ字状に折り返して上部ロック部を形成するので、下部ロック部の移動軌跡に沿ってサイドフレームに形成される上部ロック部を、上部を折り曲げ加工するだけで容易に形成できる。
【００３６】
請求項３の発明によれば、軸受部が形成されるサイドフレームが、金属板の上部を下向きＵ字状に折り返して形成されるので、金属板のエッジが露出せず、所定の強度を保ちながら、指が触れても怪我する恐れがない。
【００３７】
枢軸を軸受け部が形成されるサイドフレームの上方から押し下げるだけで、枢軸が軸受孔内に挿入されるので、カバーを簡単にケース本体に組み立てることができる。
【００３８】
請求項４の発明によれば、起立支持片は、起立する帯状金属板に対して枢軸の挿入方向に直角に折り曲げられるので、枢軸が軸受孔へ挿入された後の帯状金属板は、起立支持片に支持されて枢軸の挿入方向へ傾かず、サイドフレームが意図しない外力を受けても、枢軸が軸受孔から抜け出ない。
【００３９】
請求項５の発明によれば、起立支持片がケース本体を配置するプリント配線基板に半田付けによって固定されることにより、枢軸は軸受孔からより確実に抜け止めされる。
【００４０】
接地パターンに半田付けされる起立支持片を介してメモリーカードの側方を覆うサイドフレームが接地電位となるので、メモリーカードを外部ノイズから遮断するシールド機能を有する。更に、サイドフレームに枢軸や下部ロック部が接触するカバーを導電性金属板で形成すれば、メモリーカードの上面側も接地電位のカバーで覆われ、より確実にメモリーカードをシールドできる。
【図面の簡単な説明】
【００４１】
【図１】本願発明の１実施の形態に係るメモリーカード用コネクタ１のオープンポジションにあるカバー２を開いた状態を示し、（ａ）は、メモリーカード用コネクタ１の斜視図、（ｂ）は、メモリーカード用コネクタ１の側面図である。
【図２】メモリーカード用コネクタ１のオープンポジションにあるカバー２を閉じた状態を示し、（ａ）は、メモリーカード用コネクタ１の斜視図、（ｂ）は、メモリーカード用コネクタ１の側面図である。
【図３】メモリーカード用コネクタ１のカバー２がロックポジションにある状態を示し、（ａ）は、メモリーカード用コネクタ１の斜視図、（ｂ）は、メモリーカード用コネクタ１の側面図である。
【図４】ケース本体３を示し、（ａ）は、ケース本体３全体の斜視図、（ｂ）は、ケース本体３の軸受孔４が形成された部位のサイドフレーム３２Ａを示す拡大斜視図である。
【図５】カバー２を示し、（ａ）は、カバー２全体を斜め下方からみた斜視図、（ｂ）は、カバー２の枢軸５を示す拡大斜視図、（ｃ）は、カバー２のカバーロック部６を斜め内側からみた拡大斜視図である。
【図６】カバー２がオープンポジションにある状態のカバーロック部６の位置で切断した要部断面図である。
【図７】カバー２がロックポジションにある状態のカバーロック部６の位置で切断した要部断面図である。
【図８】カバー２をケース本体３へ組み付ける組み立て工程を示す部分斜視図である。
【図９】プリント配線基板１５上に実装したメモリーカード用コネクタ１の起立支持片７の周辺を拡大して示す拡大斜視図である。
【図１０】アンロックのまま、カバー２がロックポジションに移動した状態を示す斜視図である。
【図１１】図１０のカバーロック部６とケースロック部８の部分を拡大して示す要部拡大斜視図である。
【図１２】従来のメモリーカード用コネクタ１００のオープンポジションにあるヒンジカバー１０６を開いた状態を示す斜視図である。
【図１３】オープンポジションにあるヒンジカバー１０６を閉じた状態を示す縦断面図である。
【図１４】図１３のヒンジカバー１０６がロックポジションまで移動した状態を示す縦断面図である。
【発明を実施するための形態】
【００４２】
以下、本発明の一実施の形態に係るメモリーカード用コネクタ１を図１乃至図１１を用いて説明する。メモリーカード用コネクタ１の各部の説明は、図１（ｂ）において上下方向を上下方向と、右方を前方と、左方を後方として説明する。このメモリーカード用コネクタ１は、図４（ａ）に示すケース本体３と、ケース本体３に取り付けられた多数のコンタクト９と、ケース本体３の上面を覆う図５（ａ）に示すカバー２とから構成される。
【００４３】
ケース本体３は、更に、図４（ａ）に示すように、上方から装着するメモリーカード１１０の外周を囲う長方形枠状に金属板を折り曲げ加工して形成した金属枠体３２と、金属枠体３２で囲まれる内側に固定して取り付けられる長方形板状の絶縁ベース３１とからなっている。従って、金属枠体３２の前後方向に沿った両側に起立するサイドフレーム３２Ａ間に、メモリーカード１１０を収容するカード収容部１０が形成され、カード収容凹部１０の底面に絶縁ベース３１が配置される。
【００４４】
絶縁ベース３１には、８本のコンタクト９がインサート成形で一体に固定され、各コンタクト９の接触部と脚部の位置には、窓孔若しくは切り欠きが形成されている。これにより、各コンタクト９の接触部は、窓孔からカード収容部１０内に臨み、カード収容部１０に収容されるメモリーカード１１０の導電パッド（図示せず）に弾性接触する。また、脚部は、プリント配線基板１５の対応する信号パターンに半田接続されるもので、窓孔若しくは切り欠きを形成して、上方から半田接続部を目視確認する。
【００４５】
金属枠体３２は、両側のサイドフレーム３２Ａのそれぞれ２カ所に上部ロック部に相当するケースロック部８が形成されるもので、ケースロック部８が形成される部位のサイドフレーム３２Ａは、図１（ｂ）、図４（ａ）に示すように、前後方向に沿って起立する帯状側板部の上部を外側に向かって下向きＵ字状に折り返して形成している。このように帯状側板部の上部を下向きＵ字状に折り返すことにより、Ｕ字状の先端面が下面８ａと、Ｕ字状に折り返された外側面が上面８ｂとなるケースロック部８が前後方向に沿って形成される。
【００４６】
サイドフレーム３２Ａのそれぞれ２カ所に形成されるケースロック部８は、後述するオープンポジションからロックポジションまでカバー２がスライドする際に、サイドフレーム３２Ａに沿って移動するカバーロック部６の移動軌跡の上方に沿って下面８ａが配設される部位に形成される。図１（ｂ）に示すように、サイドフレーム３２Ａの前方と後方に形成されるケースロック部８の間には、外側に向かって下向きＵ字状の帯状節度片１２が起立する帯状側板部の上端に一体に片持ち支持されている。
【００４７】
また、両側のサイドフレーム３２Ａのそれぞれ前端近くで起立する帯状側板部には、カバー２を回動かつスライド自在に支持する軸受孔４が形成され、軸受孔４が形成される部位のサイドフレーム３２Ａは、図４（ａ）、（ｂ）に示すように、帯状側板部の上部が内側に向かって下向きＵ字状に折り返されている。上部を下向きＵ字状に折り返すことにより、軸受孔４が形成される部位のサイドフレーム３２Ａの強度が増し、更に、後述するように、Ｕ字状の外側面がカバー２の枢軸５を軸受孔４へ案内し、カバー２のケース本体への組み付けが容易になる。
【００４８】
軸受孔４は、等幅の長溝の両側が半円形となった前後方向を長手方向とする長円形であり、その中央の下方は、金属枠体３２の底板部の切り欠きまで連通している。金属枠体３２の底板部は、軸受孔４の下方で切り欠かれることにより、図４（ｂ）に示すように、金属枠体３２の底板部から外側に向かって突設された位置決め片１１が形成され、位置決め片１１の先端は上方に直角に折り曲げられることにより軸受孔４のほぼ中央位置に臨んでいる。
【００４９】
軸受孔４が形成された帯状側板部の前端には、更にその前方に長方形の起立支持片７が一体に連設されている。起立支持片７は、図９に示すように、軸受孔４にカバー２の枢軸５を挿入した後、前後方向に起立する帯状側板部に対して、枢軸５の挿入方向、すなわち本実施の形態では内方に直角に折り曲げられ、メモリーカード用コネクタ１を実装するプリント配線基板１５の接地パターン１６に半田付けされる。
【００５０】
カバー２は、図５（ａ）に示すように、一枚の導電性金属板を断面コの字状に折り曲げて形成され、カード収容部１０の上方を覆うカバー本体２ａと、カバー本体２ａの前後方向に沿った両側から垂設され、ケース本体３のサイドフレーム３２Ａの外側に沿ってスライドする一対のサイドカバー２ｂとからなっている。サイドカバー２ｂは、カバー本体２ａよりわずかに前方に突出し、その突出した前部に内側に向けて図５（ｂ）に示す円環状状の枢軸５が一体に形成されている。枢軸５の外径は、ケース本体３側の軸受孔４に遊挿されるように軸受孔４の上下方向幅よりわずかに短い長さとなっている。従って、枢軸５を軸受孔４に挿通させると、枢軸５は、軸受孔４の前端のオープンポジションと後端のロックポジションとの間で前後方向にスライド自在であり、カバー２は、オープンポジションとロックポジションのいずれの位置でも枢軸５回りに回動自在となっている。
【００５１】
各サイドカバー２ｂの２カ所の位置に、下部ロック部に相当するカバーロック部６が形成されている。カバーロック部６は、サイドカバー２ｂを門型のコの字状に切り欠いて、切り欠きを輪郭とする長方形片を内側に上方に向けてクランク状に切り起こして形成される。クランク状に折り曲げた先端面は、ケースロック部８の下面８ａに係合するカバーロック部の上面６ａとなる。カバーロック部６は、図２（ｂ）に示すように、枢軸４が軸受孔４の前端に位置するオープンポジションでのカバー２を閉じたときに、それぞれケースロック部８の前方位置に形成され、オープンポジションのカバー２を回動させても、ケースロック部８が当接しない部位に形成される。
【００５２】
また、各サイドカバー２ｂの２カ所に形成されるカバーロック部６の中間には、内側に向けて突出するボス１３が形成されている。ボス１３は、カバー２がカード収容部１０を覆い閉じられた状態でオープンポジションとロックポジション間をスライドする際に、サイドフレーム３２Ａ側の帯状節度片１２を乗り越えるサイドカバー２ｂの内側面の部位に形成される。
【００５３】
上述のカバー２は、サイドカバー２ｂの対向位置から内側に向けて突出する一対の枢軸５を、図８に示すように、軸受孔４が形成された部位のサイドフレーム３２Ａの上方から軸受孔４の方向に押し下げてケース本体３に組み付ける。軸受孔４が形成された帯状側板部の上部は、下向きＵ字状に折り返されているので、その湾曲した外側面に枢軸５が当接し、帯状側板部が内側に撓むことによって枢軸５は軸受孔４に挿入されるように案内される。尚、起立支持片７は、この組み付けの際に、帯状側板部が内側へ撓むように帯状側板部の延長面にあり、枢軸５が軸受孔４に挿入された後、内側に直角に折り曲げられる。
【００５４】
カバー２をケース本体３に取り付けたメモリーカード用コネクタ１は、メモリーカード１１０を電気接続する信号ランドパターンが形成されたプリント配線基板１５上に、各コンタクト９の脚部を信号ランドパターンに半田付けして実装する。このとき、金属枠体３２の底板部と直角に折り曲げられた起立支持片７に対向するプリント配線基板１５の表面には、接地パターン１６が印刷形成され、底板部の複数カ所と起立支持片７が接地パターン１６に半田付けされる。これにより、カード収容部１０の周囲を囲う金属枠体３２と、金属枠体３２に枢軸５やカバーロック部６が接触するカバー２も接地電位となり、カード収容部１０に収容されるメモリーカード１１０の周囲ほぼ全体がシールドされる。また、起立支持片７がプリント配線基板１５の表面に固定されることにより、軸受孔４が形成された帯状金属板は内側に撓みにくく、カバー２が意図しない外力を受けても、枢軸５が軸受孔４から外れない。
【００５５】
以下、このように構成されたメモリーカード用コネクタ１にメモリーカード１１０を装着する操作を図１から図３の順に説明する。メモリーカード１１０を装着する場合には、始めにカバー２の枢軸５を軸受孔４の前端に移動させ、オープンポジションとしたカバー２を、図１（ａ）、（ｂ）に示すように開き、メモリーカード１１０をカード収容部１０に配置する。カード収容部１０に収容されたメモリーカード１１０は、金属枠体３２によって周囲が位置決めされ、底面に露出する各導電パッドがカード収容部１０内に臨むコンタクト９の接触部に接触する。
【００５６】
カバー２はオープンポジションで枢軸５回りに回動自在であるので、続いてカバー２を、図２（ａ）、（ｂ）に示すように、カバー本体２ａがメモリーカード１１０の表面を覆い水平になるまで回転させる。オープンポジションにある枢軸５は、その後方から軸受孔４内に臨む位置決め片１１の先端が当接し、前端のオープンポジションに位置決めされているので、オープンポジションでカバー２を回転させてもカバー２は前後方向にがたつかない。また、カバー２がオープンポジションにあるときに、カバーロック部６は、カバー２を回転させてもケースロック部８と干渉しない位置に形成されているので、カバー２を水平な位置まで回転させても、ケースロック部８に当接せず、ケースロック部８の前方に位置する（図２（ｂ）、図７参照）。
【００５７】
カバー２を閉じたこの状態で、枢軸５は位置決め片１１を乗り越えて軸受孔４内を後方へ移動可能であり、また、カバーロック部６のすぐ後方にケースロック部８が形成されているので、カバー２を後方に水平に移動させると、各カバーロック部６の上面６ａがその後方に形成されたケースロック部８の下面８ａに案内され、水平な姿勢を保ったまま後方へスライド可能となる。
【００５８】
カバー２がオープンポジションにある際には、サイドカバー２ｂの内側面に突出するボス１３は、サイドフレーム３２Ａの外側に片持ち支持された帯状節度片１２の前方に位置し、カバー２を水平な姿勢で後方へスライドすると、ボス１３が帯状節度片１２の外側面を乗り越える。これにより、カバー２をオープンポジションからロックポジションへスライド操作する間に、クリック感に似た節度が得られ、操作者は、カバー２のスライ操作によりオープンポジションとロックポジションの位置が切り換えられたことを知ることができる。特に、本願発明では、オープンポジションとロックポジションのいずれでもカバー２が回動するので、カバー２を開いたままオープンポジションからロックポジションへスライド操作することが可能であり（以下、この操作を誤操作という）、カバー２を水平な姿勢で、カバーロック部６の上面６ａがケースロック部８の下面８ａに沿ってオープンポジションからロックポジションへスライド操作する（以下、この操作を正常操作という）により、ボス１３が帯状節度片１２を乗り越える節度を発生させ、操作者へ誤操作と区別した正常操作が行われたことを知らせることができる。
【００５９】
正常操作で、枢軸５が軸受孔４の後端のロックポジションとなる位置までカバー２を後方へスライドすると、枢軸５は、前方から位置決め片１１の先端が当接し、軸受孔４の後端のロックポジションに位置決めされる。従って、カバー２は、枢軸５が位置決め片１１を乗り越えるような一定以上の外力が加わらない限り、図３（ａ）、（ｂ）に示すロックポジションで位置決めされる。
【００６０】
ロックポジションでは、図６に示すように、カバーロック部６の上面６ａがケースロック部８の下面８ａに当接して、カバー２の開方向の回転が規制され、カード収容部１０に収容されたメモリーカード１１０の上面がカバー本体２ａにより押し付けられ、導電パッドにコンタクト９が弾性接触する。
【００６１】
上述したように、本実施の形態に係るメモリーカード用コネクタ１は、誤操作であってもカバー２をオープンポジションからロックポジションへスライドさせることが可能であり、誤操作でロックポジションに達したカバー２は、図１０に示すように、カバーロック部６とケースロック部８が係合しないアンロック状態となっている。この誤操作では、ボス１３が帯状節度片１２を乗り越える節度が発生しないので、誤操作と気付いた操作者がカバー２を前方へスライドし、ロックポジションでカバー２を閉じて、正常操作を行うこともできるが、本実施の形態では、誤操作でロックポジションにスライドさせたカバー２を強制的に閉じて、カバーロック部６をケースロック部８に係合させてロックすることもできる。
【００６２】
すなわち、誤操作したカバー２をロックポジションで閉じると、図１１に示すように、下向きＵ字状に折り返されたケースロック部８の外側に湾曲する上面８ｂにカバーロック部６のクランク状の下向き傾斜面が当接する。更にカバー２に閉じ方向の操作力を加えると、それぞれ金属製のカバーロック部６とケースロック部８が撓みながら、カバーロック部６がケースロック部８の傾斜する上面８ｂに沿って下方に案内され、ケースロック部８を乗り越えると、カバーロック部６の上面６ａとケースロック部８の下面８ａが対向し、図６にしめすように、互いに係合する。これにより、正常操作と同様に、ロックポジションでカバー２はケース本体３にロックされる。
【００６３】
メモリーカード１１０をメモリーカード用コネクタ１から抜き取る場合には、図３（ａ）（ｂ）に示すロックポジションのカバー２を、枢軸５が位置決め片１１を乗り越えるような操作力で前方へスライド操作する。ロックポジションからオープンポジションにスライドするカバー２も、逆方向と同様に、カバーロック部６の上面６ａがその後方に形成されたケースロック部８の下面８ａに案内され、水平な姿勢を保ったままスライドし、また、その間にボス１３が帯状節度片１２を乗り越える節度が発生する。
【００６４】
オープンポジションに達したカバー２は、カバーロック部６がケースロック部８から外れて回動自在となるので、図１（ａ）、（ｂ）に示すように開いて、メモリーカード１１０を抜き取る。
【００６５】
上述の実施の形態では、軸受孔４やケースロック部８を金属枠体３２からなるサイドフレーム３２Ａに形成したが、サイドフレームは、必ずしも金属製に限らず、絶縁ベース３１と同様の合成樹脂で形成することもできる。
【００６６】
また、カバー２のサイドカバー２ｂは、サイドフレーム３２Ａの外側に沿ってスライドする例で説明したが、内側に沿ってスライドするものでもよい。この場合には、当然ながらケースロック部８は、サイドフレーム３２Ａの内側に、カバーロック部６はサイドカバー２ｂの外側に形成されるものとなる。
【００６７】
更に、メモリーカードは、従来のメモリーカード用コネクタ１００のように、カバー２がロックポジションに移動するまで、カバー２側に仮保持されるものであってもよい。
【００６８】
更に、軸受孔４が形成された部位のサイドフレーム３２Ａは、帯状側板部の上部を内側に下向きＵ字状に折り返しているが、その向きは任意であり、外側に向かって下向きＵ字状に折り返してもよい。
【産業上の利用可能性】
【００６９】
メモリーカードを携帯電話機などの電子機器へ接続するメモリーカード用コネクタに適している。
【符号の説明】
【００７０】
１      メモリーカード用コネクタ
２      カバー
３      ケース本体
４      軸受孔
５      枢軸
６      カバーロック部（下部ロック部）
７      起立支持片
８      ケースロック部（上部ロック部）
１５    プリント配線基板
１６    接地パターン
３２Ａ  サイドフレーム
【図１】
0005189142.tif 000002
【図２】
0005189142.tif 000003
【図３】
0005189142.tif 000004
【図４】
0005189142.tif 000005
【図５】
0005189142.tif 000006
【図６】
0005189142.tif 000007
【図７】
0005189142.tif 000008
【図８】
0005189142.tif 000009
【図９】
0005189142.tif 000010
【図１０】
0005189142.tif 000011
【図１１】
0005189142.tif 000012
【図１２】
0005189142.tif 000013
【図１３】
0005189142.tif 000014
【図１４】
0005189142.tif 000015